(57)【要約】【課題】従来の一斉点火時期制御を行う点火装置を用いて、多気筒型の内燃機関の各気筒の点火時期を、各別に制御可能な点火時期制御装置及び点火時期制御方法を提供する。【解決手段】一対の充放電コンデンサＣ１、Ｃ２の一方の充放電コンデンサを、点火用電荷供給部１０からの通電により充電し、他方の充放電コンデンサを点火用電荷供給部１０から分離する充電制御手段２２と、充電制御手段２２により充電対象となっている充放電コンデンサを一次コイル１１ａから分離し、充電制御手段２２により充電済みの充放電コンデンサから点火用電荷を一次コイル１１ａに供給可能な放電可能状態にする放電制御手段２３と、特定の点火時期より遅れた遅延点火時期に、放電可能状態の充放電コンデンサを一次コイル１１ａと電気的に接続して放電させる遅延制御手段２４とを備える。【選択図】図１
2014015852.tif 000002
【特許請求の範囲】
【請求項１】
所定の点火時期に点火用電荷を供給可能な点火用電荷供給部と、
当該点火用電荷供給部から供給された点火用電荷を充放電可能な充放電コンデンサと、
前記充放電コンデンサに蓄電された点火用電荷が通電される一次コイルと当該一次コイルに点火用電荷が通電された際に点火電圧を発生させる二次コイルとを有する点火コイルと、
前記二次コイルで発生した点火電圧により、多気筒型の内燃機関の気筒に設けられた点火プラグを、点火動作させる内燃機関の点火時期制御装置であって、
一の点火プラグに対して作動可能な前記充放電コンデンサを少なくとも一対備え、
前記一対の充放電コンデンサの一方の充放電コンデンサを、前記点火用電荷供給部から点火用電荷の通電により充電し、他方の充放電コンデンサを前記点火用電荷供給部から分離する充電制御手段と、
前記充電制御手段により充電対象となっている前記充放電コンデンサを前記一次コイルから分離し、前記充電制御手段により充電済みの前記充放電コンデンサから点火用電荷を前記一次コイルへ供給可能な放電可能状態にする放電制御手段と、
特定の点火時期より遅れた遅延点火時期に、前記放電可能状態の前記充放電コンデンサを前記一次コイルと電気的に接続して放電させる遅延制御手段とを備えた点火時期制御装置。
【請求項２】
前記一の点火プラグに対して作動可能な少なくとも前記一対の充放電コンデンサが、
複数の気筒に対して共通に作動可能に構成され、
前記複数の気筒を、順次、点火動作する請求項１に記載の点火時期制御装置。
【請求項３】
前記点火用電荷供給部から点火用電荷を前記一次コイルへ直接供給する無遅延制御手段を備えた請求項１又は２に記載の点火時期制御装置。
【請求項４】
前記無遅延制御手段が、複数の前記気筒に対して個別に備えられている請求項３に記載の点火時期制御装置。
【請求項５】
前記充電制御手段が、前記点火用電荷供給部から供給される点火用電荷を、前記一対の充放電コンデンサに、交互に供給切替する充電切替スイッチを備え、
前記放電制御手段は、前記一対の充放電コンデンサに蓄電された点火用電荷を、前記一次コイルへ接続可能な一次コイル側端子へ、交互に接続切替する放電切替スイッチを備え、
前記充電切替スイッチと前記放電切替スイッチの夫々を切替制御する第１切替制御装置を備えて、前記充電制御手段及び前記放電制御手段が構成され、
前記第１切替制御装置が、前記点火用電荷供給部に設定される前記特定の点火時期に従って作動する請求項１〜４の何れか一項に記載の点火時期制御装置。
【請求項６】
前記遅延制御手段が、前記一次コイル側端子と前記点火コイルとの間に設けられた遅延動作スイッチと、
当該遅延動作スイッチの接点状態を切り換える第２切替制御装置とを備えて構成され、
前記第２切替制御装置が、前記点火用電荷供給部に設定される前記特定の点火時期に従って作動する請求項４に記載の点火時期制御装置。
【請求項７】
所定の点火時期に点火用電荷を供給可能な点火用電荷供給部と、
当該点火用電荷供給部から供給された点火用電荷を蓄電可能な充放電コンデンサと、
前記充放電コンデンサに蓄電された点火用電荷が通電される一次コイルと当該一次コイルに点火用電荷が通電された際に点火電圧を発生させる二次コイルとを有する点火コイルと、
前記二次コイルで発生した点火電圧により、多気筒型の内燃機関の気筒に設けられた点火プラグを、点火動作させる内燃機関の点火時期制御方法であって、
一の点火プラグに対して作動可能な前記充放電コンデンサを少なくとも一対備え、
前記一対の充放電コンデンサの一方の充放電コンデンサを、前記点火用電荷供給部から点火用電荷の通電により充電し、他方の充放電コンデンサを前記点火用電荷供給部から分離する充電制御を実行すると共に、
前記充電制御により充電対象となっている前記充放電コンデンサを前記一次コイルから分離し、前記充電制御により充電済みの前記充放電コンデンサから点火用電荷を前記一次コイルへ放電可能な放電可能状態とする放電制御を実行し、
特定の点火時期より遅れた遅延点火時期に、前記放電可能状態の前記充放電コンデンサを前記一次コイルと電気的に接続して放電させる遅延制御を実行する点火時期制御方法。
【請求項８】
前記一の点火プラグに対して作動可能な少なくとも一対の前記充放電コンデンサが、
複数の気筒に対して共通に作動可能に構成され、
前記複数の気筒を、順次、点火動作する請求項７記載の点火時期制御方法。
【発明の詳細な説明】
【技術分野】
【０００１】
本発明は、所定の点火時期に点火用電荷を供給可能な点火用電荷供給部と、当該点火用電荷供給部から供給された点火用電荷を充放電可能な充放電コンデンサと、前記充放電コンデンサに蓄電された点火用電荷が通電される一次コイルと当該一次コイルに点火用電荷が通電された際に点火電圧を発生させる二次コイルとを有する点火コイルと、前記二次コイルで発生した点火電圧により、多気筒型の内燃機関の気筒に設けられた点火プラグを、点火動作させる内燃機関の点火時期制御装置、及び点火時期制御方法に関する。
【背景技術】
【０００２】
従来、内燃機関の軸出力により電力を発生すると共に熱を発生する、所謂、コジェネレーションシステムでは、その内燃機関の点火装置として、点火プラグへの点火電圧を昇圧させる方式として、コンデンサに充電した電荷の瞬間的な放電を点火原理とするＣＤＩ方式（Ｃａｐａｃｉｔｏｒ  Ｄｉｓｃｈａｒｇｅ  Ｉｇｎｉｔｉｏｎ方式）のものが採用されることが多い。
ＣＤＩ方式の点火装置としては、電源部から供給された点火用電荷を蓄電する充放電コンデンサを備えたものが知られており（特許文献１を参照）、各気筒に対して設けられる当該充放電コンデンサに蓄電された点火用電荷を点火コイルの一次コイルに通電し、これにより二次コイルに点火電圧を発生させて点火プラグに付与することで、気筒に点火する。
そして、通常、コジェネレーションシステムの内燃機関に適用される点火装置は、当該内燃機関が多気筒である場合において、全気筒の点火時期を同一タイミングに制御する一斉点火時期制御を行っており、多気筒のうち、一の気筒にてノッキングが発生した場合、すべての気筒の点火時期を遅角化することで、ノッキングを回避している。
【先行技術文献】
【特許文献】
【０００３】
【特許文献１】特開２００８−２６７２８４号
【発明の開示】
【発明が解決しようとする課題】
【０００４】
しかしながら、コジェネレーションシステムに多気筒型の内燃機関が適用される場合、経年的に起こるノッキングは、全気筒において一斉に起きるのではなく、特定の気筒から起こり始める。このとき、一斉点火時期制御を行う点火装置を用いると、ノッキングが発生する気筒の点火時期に合わせて、他の気筒の点火時期をも遅角化しなければならず、他の気筒において、燃費が低下すると共に、排気温度が上昇するという問題があった。
このために、点火時期を一斉に遅角化する回避運転に限界があり、ノッキングの要因になっている燃焼残渣物の除去等、膨大な費用のかかるメンテナンスを前倒ししなくてはならなかった。
【０００５】
本発明は、上述の課題を鑑みてなされたものであり、その目的は、従来の一斉点火時期制御を行う点火装置を用いながらも、多気筒型の内燃機関の各気筒の点火時期を、各別に、或いは群毎に制御可能な点火時期制御装置及び点火時期制御方法を提供することにある。
【課題を解決するための手段】
【０００６】
〔構成１〕
上記目的を達成するための本発明の点火時期制御装置は、
所定の点火時期に点火用電荷を供給可能な点火用電荷供給部と、
当該点火用電荷供給部から供給された点火用電荷を充放電可能な充放電コンデンサと、
前記充放電コンデンサに蓄電された点火用電荷が通電される一次コイルと当該一次コイルに点火用電荷が通電された際に点火電圧を発生させる二次コイルとを有する点火コイルと、
前記二次コイルで発生した点火電圧により、多気筒型の内燃機関の気筒に設けられた点火プラグを、点火動作させる内燃機関の点火時期制御装置であって、その第１特徴構成は、
一の点火プラグに対して作動可能な前記充放電コンデンサを少なくとも一対備え、
前記一対の充放電コンデンサの一方の充放電コンデンサを、前記点火用電荷供給部から点火用電荷の通電により充電し、他方の充放電コンデンサを前記点火用電荷供給部から分離する充電制御手段と、
前記充電制御手段により充電対象となっている前記充放電コンデンサを前記一次コイルから分離し、前記充電制御手段により充電済みの前記充放電コンデンサから点火用電荷を前記一次コイルへ供給可能な放電可能状態にする放電制御手段と、
特定の点火時期より遅れた遅延点火時期に、前記放電可能状態の前記充放電コンデンサを前記一次コイルと電気的に接続して放電させる遅延制御手段とを備えた点にある。
【０００７】
上記目的を達成するための本発明の点火時期制御方法は、
所定の点火時期に点火用電荷を供給可能な点火用電荷供給部と、
当該点火用電荷供給部から供給された点火用電荷を蓄電可能な充放電コンデンサと、
前記充放電コンデンサに蓄電された点火用電荷が通電される一次コイルと当該一次コイルに点火用電荷が通電された際に点火電圧を発生させる二次コイルとを有する点火コイルと、
前記二次コイルで発生した点火電圧により、多気筒型の内燃機関の気筒に設けられた点火プラグを、点火動作させる内燃機関の点火時期制御方法であって、その第１特徴構成は、
一の点火プラグに対して作動可能な前記充放電コンデンサを少なくとも一対備え、
前記一対の充放電コンデンサの一方の充放電コンデンサを、前記点火用電荷供給部から点火用電荷の通電により充電し、他方の充放電コンデンサを前記点火用電荷供給部から分離する充電制御を実行すると共に、
前記充電制御により充電対象となっている前記充放電コンデンサを前記一次コイルから分離し、前記充電制御により充電済みの前記充放電コンデンサから点火用電荷を前記一次コイルへ放電可能な放電可能状態とする放電制御を実行し、
特定の点火時期より遅れた遅延点火時期に、前記放電可能状態の前記充放電コンデンサを前記一次コイルと電気的に接続して放電させる遅延制御を実行する点にある。
【０００８】
上記特徴構成によれば、一の点火プラグに対して作動可能な充放電コンデンサを少なくとも一対備えており、充電制御手段は、特定の点火時期において、当該一対の充放電コンデンサのうち、一方を点火用電荷供給部に接続して点火用電荷を充電すると共に、他方を点火用電荷供給部から分離している。
一方、放電制御手段は、特定の点火時期において、放電可能状態となっている充放電コンデンサ、即ち、当該特定の点火時期よりも前の点火時期において、充電済みとなっている充放電コンデンサに充電されている点火用電荷を一次コイルに放電可能状態にすると共に、特定の点火時期において、充電制御手段の充電対象となっている充放電コンデンサを、一次コイルから分離している。
当該構成により、特定の点火時期において、一次コイルに供給される点火用電荷は、当該特定の点火時期よりも前の点火時期において、充電された点火用電荷になるから、充電から放電までの時間を十分に稼ぐことができる。
これにより、例えば、特定の点火時期の１つ前の点火時期において、遅延制御手段が遅延時間を設定して、一の充放電コンデンサからの放電が遅くなるような場合であっても、特定の点火時期においては、他の充放電コンデンサから放電できる。結果、特定の点火時期において、充放電コンデンサへの充電が完了しておらず、放電ができなくなる問題を解消できる。
以上から、本発明によれば、一斉点火時期制御を行う点火用電荷供給部（既存点火装置）を用いながらも、多気筒型の内燃機関の各気筒の点火時期を、各別に、或いは郡毎に制御して、ノッキングが発生している気筒を、点火時期を遅らせた遅延点火時期で点火して、ノッキングを防止できる点火時期制御装置及び点火時期制御方法を実現できる。
【０００９】
〔構成２〕
本発明の点火時期制御装置の更なる特徴構成は、
前記一の点火プラグに対して作動可能な少なくとも前記一対の充放電コンデンサが、
複数の気筒に対して共通に作動可能に構成され、
前記複数の気筒を、順次、点火動作する点にある。
【００１０】
本発明の点火時期制御方法の更なる特徴構成は、
前記一の点火プラグに対して作動可能な少なくとも一対の前記充放電コンデンサが、
複数の気筒に対して共通に作動可能に構成され、
前記複数の気筒を、順次、点火動作する点にある。
【００１１】
上記特徴構成によれば、一の点火プラグに対して作動可能な少なくとも一対の充放電コンデンサが、複数の気筒に対して共通に作動可能に構成されているので、複数の気筒夫々に、一対の充放電コンデンサ及びそれらの充放電を制御する手段を設ける必要がなくなるから、比較的簡易な構成にて、複数の気筒の点火の遅延制御を伴った点火時期制御を実行できる。
【００１２】
本発明の点火時期制御装置の更なる特徴構成は、
前記点火用電荷供給部から点火用電荷を前記一次コイルへ直接供給する無遅延制御手段を備えた点にある。
【００１３】
上記特徴構成によれば、無遅延制御手段が、点火用電荷を、一対の充放電コンデンサに供給することなく、一次コイルへ直接供給するように構成されているから、例えば、点火対象の気筒にノッキングが起きておらず、その点火時期を遅延させる必要がない場合には、当該無遅延制御手段を用いることで、遅延なく特定の点火時期に点火できると共に、点火用電荷の移送に伴うロスを低減させることができる。
【００１４】
本発明の点火時期制御装置の更なる特徴構成は、
前記無遅延制御手段が、複数の前記気筒に対して個別に備えられている点にある。
【００１５】
当該構成の如く、無遅延制御手段を、複数の気筒に対して個別に備えることで、複数の気筒の夫々において、点火用電荷を、無遅延制御手段を用いて直接供給するか否かを、各別に切り替えることができ、より効果的に点火用電荷の移送ロスを低減できる。
【００１６】
本発明の点火時期制御装置の更なる特徴構成は、
前記充電制御手段が、前記点火用電荷供給部から供給される点火用電荷を、前記一対の充放電コンデンサに、交互に供給切替する充電切替スイッチを備え、
前記放電制御手段は、前記一対の充放電コンデンサに蓄電された点火用電荷を、前記一次コイルへ接続可能な一次コイル側端子へ、交互に接続切替する放電切替スイッチを備え、
前記充電切替スイッチと前記放電切替スイッチの夫々を切替制御する第１切替制御装置を備えて、前記充電制御手段及び前記放電制御手段が構成され、
前記第１切替制御装置が、前記点火用電荷供給部に設定される前記特定の点火時期に従って作動する点にある。
【００１７】
上記特徴構成によれば、充電制御手段として充電切替スイッチを備えると共に、放電制御手段として放電切替スイッチを備えながらも、充電制御手段及び放電制御手段としての第１切替制御装置が、それらの切り換えを、特定の点火時期に従って行うように構成しているから、充放電を行う充放電コンデンサの切り換えを、互いに対応させた状態で実行でき、その制御を最も簡易な構成で、実現できる。
【００１８】
本発明の点火時期制御装置の更なる特徴構成は、
前記遅延制御手段が、前記一次コイル側端子と前記点火コイルとの間に設けられた遅延動作スイッチと、
当該遅延動作スイッチの接点状態を切り換える第２切替制御装置とを備えて構成され、
前記第２切替制御装置が、前記点火用電荷供給部に設定される前記特定の点火時期に従って作動する点にある。
【００１９】
上記特徴構成によれば、遅延制御手段は、遅延動作スイッチの接点状態を、点火用電荷供給部に設定される特定の点火時期に従って切り換えるように構成されているので、当該特定の点火時期に対して、所望の遅延時間だけ遅らせる遅延点火時期を、簡易な構成ながらも、確実に設定できる。
【図面の簡単な説明】
【００２０】
【図１】本発明の点火時期制御装置の原理図
【図２】多気筒型の内燃機関に本発明を適用した場合の概略構成図
【図３】１回目の点火時期における本発明の回路状態を示す概略構成図
【図４】２回目の点火時期における本発明の回路状態を示す概略構成図
【図５】３回目の点火時期における本発明の回路状態を示す概略構成図
【図６】各気筒の点火に用いられる点火用電荷の移送を示すタイムチャート
【発明を実施するための形態】
【００２１】
本発明の点火時期制御装置１００は、既存点火装置１０を用いながらも、多気筒型の内燃機関の各気筒の点火時期を、各別に制御できる点に特徴がある。
以下、まず、当該点火時期制御装置１００の原理を、図１に基づいて説明する。
【００２２】
〔点火時期制御装置の構成原理〕
本発明の点火時期制御装置１００は、所定の点火時期に既存点火装置１０（点火用電荷供給部の一例）から供給される点火用電荷を充放電可能な一対の充放電コンデンサＣ１、Ｃ２と、一対の充放電コンデンサＣ１、Ｃ２の充電状態を制御する充電制御手段と、一対の充放電コンデンサＣ１、Ｃ２の放電状態を制御する放電制御手段と、一対の充放電コンデンサＣ１、Ｃ２にて放電可能状態となった点火用電荷を、特定の点火時期より遅れた遅延点火時期に放電して、点火コイル１１の一次コイル１１ａに通電させる遅延制御手段とを備えて構成されている。
これにより、点火コイル１１の二次コイル１１ｂに点火用電圧が発生し、点火プラグ１２が、特定の点火時期より送れた遅延点火時期に点火可能に構成されている。
【００２３】
既存点火装置１０は、ＣＤＩ方式（Ｃａｐａｃｉｔｏｒ  Ｄｉｓｃｈａｒｇｅ  Ｉｇｎｉｔｉｏｎ方式）のものが好適に採用でき、その内部に設けられた充放電コンデンサ（図示せず）に充電した点火用電荷を、順次訪れる特定の点火時期に放電するように構成されており、その構成は従来のものと変るところがない。
既存点火装置１０から供給される点火用電荷は、コイルＬと一対の充放電コンデンサＣ１、Ｃ２のＬＣ共振を利用して、一対の充放電コンデンサＣ１、Ｃ２の夫々へ、以下の如く、充電される。
【００２４】
既存点火装置１０と一対の充放電コンデンサＣ１、Ｃ２の間には、特定の点火時期に、一対の充放電コンデンサＣ１、Ｃ２のうち、一方の充放電コンデンサＣ１を、既存点火装置１０に接続して点火用電荷の通電により充電すると共に、他方の充放電コンデンサＣ２を、既存点火装置１０から分離する充電切替スイッチＳ１が設けられている。そして、当該充電切替スイッチＳ１による充電の切り換えは、制御装置２０により、以下の如く制御される。
制御装置２０は、既存点火装置１０が特定の点火時期に供給する点火用電荷を検出する点火検出部２１と、当該点火検出部２１から点火用電荷の検出信号を受信したときに、一対の充放電コンデンサＣ１、Ｃ２のうち、既存点火装置１０に接続されるものと、既存点火装置１０から分離させるものを切り換える切替信号を、充電切替スイッチＳ１に送信する充電制御部２２（第１切替制御装置の一例）とを備えている。
充電切替スイッチＳ１は、充電制御部２２から受信する切替信号に基づいて、特定の点火時期毎に、一対の充放電コンデンサＣ１、Ｃ２のうち、既存点火装置１０へ接続するものと分離するものとを、交互に切り換えるように構成されている。
このように、充電切替スイッチＳ１及び充電制御部２２が、充電制御手段として働く。
【００２５】
さらに、一対の充放電コンデンサＣ１、Ｃ２と、点火コイル１１の一次コイル１１ａとの間には、特定の点火時期に、充電対象となっている充放電コンデンサＣ１（特定の点火時期において、未充電の充放電コンデンサ）を、一次コイル１１ａ側にある一次コイル側端子Ｓ２ｘから分離すると共に、充電済みの充放電コンデンサＣ２を、一次コイル１１ａ側にある一次コイル側端子Ｓ２ｘに接続して点火用電荷を放電可能状態にする放電切替スイッチＳ２が設けられている。当該放電切替スイッチＳ２による放電の切り換えは、制御装置２０により、以下の如く制御される。
制御装置２０は、上述の点火検出部２１と、当該点火検出部２１から検出信号を受信したときに、一対の充放電コンデンサＣ１、Ｃ２のうち、一次コイル側端子Ｓ２ｘに接続するものと分離するものとを切り換える切替信号を、放電切替スイッチＳ２に送信する放電制御部２３（第１切替制御装置の一例）とを備えている。
即ち、放電切替スイッチＳ２は、放電制御部２３から受信する切替信号に基づいて、特定の点火時期毎に、一対の充放電コンデンサＣ１、Ｃ２のうち、充電済みの充放電コンデンサを、一次コイル側端子Ｓ２ｘに接続して放電可能状態とすると共に、充電対象となっている充放電コンデンサ（特定の点火時期において、未充電の充放電コンデンサ）を、一次コイル側端子Ｓ２ｘから分離するように、交互に切り換えられる。
このように、放電切替スイッチＳ２と、放電制御部２３とが、放電制御手段として働く。
尚、ここで、放電可能状態とするとは、後述する遅延動作スイッチＳ３が導通状態となったときに、放電される状態にあることを意味する。
【００２６】
以上の構成により、当該既存点火装置１０から供給される点火用電荷は、点火時期毎に、一対の充放電コンデンサＣ１、Ｃ２に、交互に充電される共に、一対の充放電コンデンサＣ１、Ｃ２から、交互に放電可能状態とされることとなり、充電と放電とが完全に分離される。
【００２７】
以上の如く、放電可能状態となった点火用電荷は、遅延動作スイッチＳ３により、点火対象の気筒に対応して設けられている一次コイル１１ａに、所望の遅延時間だけ遅延させた遅延点火時期に、供給されるよう放電される。
当該遅延動作スイッチＳ３は、放電切替スイッチＳ２と一次コイル１１ａとの間に設けられ、放電切替スイッチＳ２と一次コイル１１ａとの間の導通状態と非導通状態とを切り換える。
当該遅延動作スイッチＳ３の導通状態と非導通状態の切り換えは、制御装置２０の遅延制御部２４（第２切替制御装置の一例）にて、制御される。
即ち、遅延制御部２４は、点火検出部２１から点火用電荷の検出信号を受信したとき（特定の点火時期）に、当該特定の点火時期から所望の遅延時間だけ遅らせた遅延点火時期に、遅延動作スイッチＳ３を非導通状態から導通状態に切り換えて、放電可能状態の点火用電荷を一次コイル１１ａへ放電する。
上記遅延制御部２４及び遅延動作スイッチＳ３が、遅延制御手段として働く。
【００２８】
尚、当該遅延制御部２４にて設定される遅延時間は、制御装置２０の記憶部（図示せず）に記憶され、当該記憶部から呼び出されて設定される形態で、各気筒に対して各別に設定可能に構成されている。
また、上記遅延制御部２４が、特定の点火時期において、設定する遅延点火時期は、一対の充放電コンデンサＣ１、Ｃ２の何れかが、放電可能状態となった以降の時期に設定されている。
【００２９】
〔多気筒に適用する場合の構成〕
本発明の点火時期制御装置１００は、図２に示すように、一の点火プラグ１２に対して作動可能な一対の充放電コンデンサＣ１、Ｃ２が、複数の気筒の点火プラグ１２に対して共通に作動可能に構成され、複数の気筒を、順次、点火動作するように構成されている。
説明を追加すると、既存点火装置１０には、複数の気筒に対応する回路の夫々と、接続切替可能な気筒切替スイッチＳ５が設けられている。
当該気筒切替スイッチＳ５は、点火時期毎に、複数の気筒のうち、一の気筒に対応する回路へ、順次接続切替されることで、点火時期毎に、点火対象の気筒に対応する回路へ、点火用電荷を供給可能に構成されている。
以下に詳述するように、当該気筒切替スイッチＳ５は、結果的に、複数の気筒を、順次、点火動作する。
【００３０】
当該気筒切替スイッチＳ５の一次コイル１１ａ側には、気筒切替スイッチＳ５側の気筒切替スイッチ側接点Ｓ４ｘを、点火時期を遅延させない回路である無遅延回路１３と、点火時期を遅延させる一対の充放電コンデンサＣ１、Ｃ２を備える回路との何れか一方に切り換える遅延・無遅延切替スイッチＳ４が、複数の気筒の夫々に対応する状態で設けられている。
尚、無遅延回路１３は、複数の気筒の夫々に対応する状態で複数設けられており、夫々の無遅延回路１３が、夫々の気筒に対応する点火コイル１１の一次コイル１１ａに直接接続されている。
制御装置２０には、点火検出部２１の検出信号を受信したとき（特定の点火時期）に、点火対象の気筒が遅延時間を設定する必要のない場合、遅延・無遅延切替スイッチＳ４を無遅延回路１３の側へ接続すると共に、点火対象の気筒が遅延時間を設定する必要がある場合、遅延・無遅延切替スイッチＳ４を一対の充放電コンデンサＣ１、Ｃ２が設けられる回路の側へ接続する無遅延制御部２５が設けられている。
これにより、遅延時間を設定する必要のない気筒に点火する場合、点火用電荷を一対の充放電コンデンサＣ１、Ｃ２を備える回路の側へ通電させず、移送ロスを低減している。
一方、遅延時間を設定する必要のある気筒に点火する場合、点火用電荷は、一対の充放電コンデンサＣ１、Ｃ２を備える回路の側へ供給され、遅延動作スイッチＳ３にて遅延された点火時期に、点火対象の気筒に対応する一次コイル１１ａに供給される。
上記無遅延制御部２５及び遅延・無遅延切替スイッチＳ４が、無遅延制御手段として働く。
【００３１】
尚、当該構成にあっては、一対の充放電コンデンサＣ１、Ｃ２を備えた回路には、複数の気筒の夫々に対応した複数の遅延動作スイッチＳ３が、対応した気筒への導通状態を切り換え可能な状態で設けられている。
つまり、当該構成にあっては、遅延動作スイッチＳ３は、特定の点火時期において、一対の充放電コンデンサＣ１、Ｃ２の何れか一方からの点火用電荷を、点火対象の気筒に対応する点火コイル１１の一次コイル１１ａを選択するスイッチとしても機能する。
【００３２】
次に、本発明の点火時期制御装置１００の具体的な作動を、図３〜５に示す点火時期毎の回路状態、及び図６の点火用電荷の充放電状態を示すタイムチャートに基づいて、説明する。
〔１回目の点火時期〕
１回目の点火時期では、図３、６に示すように、点火対象の気筒は、１番気筒であるので、気筒切替スイッチＳ５は、１番気筒に対応する回路に接続される。
ここで、１番気筒は、図３、６に示すように、遅延の必要がないと設定されているので、遅延・無遅延切替スイッチＳ４ａは、無遅延回路１３ａに接続され、点火用電荷が、無遅延回路１３ａを介して一次コイル１１ａを通電し、二次コイル１１ｂに点火電圧が発生して、１番気筒に対応する点火プラグ１２が点火する。
【００３３】
〔２回目の点火時期〕
２回目の点火時期では、図４、６に示すように、点火対象の気筒は、２番気筒であるので、気筒切替スイッチＳ５は、２番気筒に対応する回路に接続される。
２番気筒は、図４、６に示すように、遅延が必要であると設定されているので、遅延・無遅延切替スイッチＳ４ｂは、一対の充放電コンデンサＣ１、Ｃ２が備えられる回路に接続される。
このとき、充電切替スイッチＳ１は、未充電の充放電コンデンサＣ１に接続し、点火用電荷が未充電の充放電コンデンサＣ１に充電される。一方、放電切替スイッチＳ２は、当該点火時期において、充電対象である未充電の充放電コンデンサＣ１を、一次コイル側端子Ｓ２ｘから分離する。
これにより、２回目の点火時期、即ち、遅延時間を設定する気筒に最初に点火用電荷を供給する点火時期では、２番気筒に対応する一次コイル１１ａに点火用電荷が通電することはなく、２番気筒は点火動作されない。
〔３回目の点火時期〕
３回目の点火時期では、図５、６に示すように、点火対象の気筒は、３番気筒であるので、気筒切替スイッチＳ５は、３番気筒に対応する回路に接続される。
３番気筒は、図５、６に示すように、遅延が必要であると設定されているので、遅延・無遅延切替スイッチＳ４ｃは、一対の充放電コンデンサＣ１，Ｃ２が備えられる回路に接続される。
このとき、充電切替スイッチＳ１は、既存点火装置１０を未充電の充放電コンデンサＣ２に接続して充電し、前回の点火時期（２回目の点火時期）にて充電済みの充放電コンデンサＣ１を既存点火装置１０から分離する。一方、放電切替スイッチＳ２は、前回の点火時期（２回目の点火時期）にて充電済みの充放電コンデンサＣ１を、一次コイル側端子Ｓ２ｘに接続し、当該充電済みの充放電コンデンサＣ１を放電可能状態とすると共に、今回の点火時期（３回目の点火時期）にて充電対象となる充放電コンデンサＣ２を一次コイル側端子Ｓ２ｘから分離する。
さらに、遅延動作スイッチＳ３ｃが、遅延制御部２４の働きにより、３回目の点火時期から所望の遅延時間が経過した後の遅延点火時期に、非導通状態から導通状態に切り替わり、３番気筒に対応する一次コイル１１ａに点火用電荷が通電し、二次コイル１１ｂに点火電圧が発生して、３番気筒に対応する点火プラグが、遅延点火時期に点火する。
〔３回目以降の点火時期〕
３回目以降の点火時期では、これまで説明したことと同様の点火サイクルが、繰り返されることになる。
【００３４】
〔別実施形態〕
（１）上記実施形態においては、既存点火装置１０から送られる点火用電荷を充放電する充放電コデンサが、一対設けられている例を示した。
しかしながら、本発明の点火時期制御装置１００は、少なくとも一対の充放電コンデンサが設けられていれば、特定の点火時期に適切な遅延時間を設定することができる。このため、例えば、複数の充放電コンデンサを備え、特定の点火時期において、一対の充放電コンデンサを選択可能に構成しても良い。
また、Ｖバンクの内燃機関に本発明の点火時期制御装置１００を適用する場合にあっては、一対の充放電コンデンサを片バンク分に対応させる形態で、２対の充放電コンデンサを備えることが好ましい。
この場合、既存点火装置１０の充電用コンデンサ１つに対して、一対の充放電コンデンサを対応させて設けられることになる。
【産業上の利用可能性】
【００３５】
本発明の点火時期制御装置及び点火時期制御方法は、従来の一斉点火時期制御を行う点火装置を用いながらも、多気筒型の内燃機関の各気筒の点火時期を、各別に、或いは群毎に制御可能な点火時期制御装置及び点火時期制御方法として、有効に利用可能である。
【符号の説明】
【００３６】
１０              ：既存点火装置
１１              ：点火コイル
１１ａ            ：一次コイル
１１ｂ            ：二次コイル
１２              ：点火プラグ
２２              ：充電制御部
２３              ：放電制御部
２４              ：遅延制御部
２５              ：無遅延制御部
Ｃ１、Ｃ２        ：充放電コンデンサ
Ｓ１              ：充電切替スイッチ
Ｓ２              ：放電切替スイッチ
Ｓ３              ：遅延動作スイッチ
Ｓ４              ：遅延・無遅延切替スイッチ
１００            ：点火時期制御装置
【図１】
2014015852.tif 000003
【図２】
2014015852.tif 000004
【図３】
2014015852.tif 000005
【図４】
2014015852.tif 000006
【図５】
2014015852.tif 000007
【図６】
2014015852.tif 000008